(57)【要約】【課題】放射線技師の記憶に頼ることなく、撮影に用いた放射線画像撮影用カセッテと撮影予約情報とを対応付け、実際に撮影した撮影条件に応じた適切な画像読取処理をすることができる放射線画像撮影用カセッテ及び放射線画像撮影システムを提供することを目的とする。【解決手段】放射線画像撮影用カセッテに、外部から放射線画像の撮影に必要な情報を受信して可視状態で表示する表示装置と、情報の表示を制御する制御部とを設けた。【選択図】    図１
2004191855.tif 000002
【特許請求の範囲】
【請求項１】
輝尽性蛍光体シートを収納する放射線画像撮影用カセッテにおいて、外部から放射線画像の撮影に必要な情報を受信して可視状態で表示する表示装置と、情報の表示を制御する制御部とを設けたことを特徴とする放射線画像撮影用カセッテ。
【請求項２】
前記表示装置は、液晶による表示装置であることを特徴とする請求項１に記載の放射線画像撮影用カセッテ。
【請求項３】
輝尽性蛍光体シートを収納する放射線画像撮影用カセッテにおいて、外部エネルギーを加えることにより放射線画像の撮影に必要な情報を書換え可能に可視状態で表示する表示部を設けたことを特徴とする放射線画像撮影用カセッテ。
【請求項４】
放射線画像撮影に関する情報を管理するオーダリングサーバと、放射線画像撮影に関する操作を行う撮影操作端末と、撮影した放射線画像の画像読取処理を行う放射線画像読取装置とをネットワークを通じて接続し、前記オーダリングサーバに、予め患者に関する患者情報、放射線画像を撮影する条件に関する撮影情報、及び前記撮影情報に応じた画像読取処理条件に関する読取情報を撮影予約情報として登録し、この撮影予約情報に基づいて、前記撮影操作端末により撮影操作を行い、前記放射線画像読取装置により画像読取処理を行う放射線画像撮影システムにおいて、前記オーダリングサーバ又は前記撮影操作端末から、請求項１又は請求項２に記載の放射線画像撮影用カセッテに対して、前記撮影予約情報の中から放射線画像の撮影に必要な情報を送信し、前記放射線画像撮影用カセッテに設けられた表示装置に可視状態で表示することを特徴とする放射線画像撮影システム。
【請求項５】
放射線画像撮影に関する情報を管理するオーダリングサーバと、放射線画像撮影に関する操作を行う撮影操作端末と、撮影した放射線画像の画像読取処理を行う放射線画像読取装置とをネットワークを通じて接続し、前記オーダリングサーバに、予め患者に関する患者情報、放射線画像を撮影する条件に関する撮影情報、及び前記撮影情報に応じた画像読取処理条件に関する読取情報を撮影予約情報として登録し、この撮影予約情報に基づいて、前記撮影操作端末により撮影操作を行い、前記放射線画像読取装置により画像読取処理を行う放射線画像撮影システムにおいて、前記オーダリングサーバ又は前記撮影操作端末から、エネルギーを印加することにより画像を書き込む画像書込装置に対して、前記撮影予約情報の中から放射線画像の撮影に必要な情報を出力し、前記画像書込装置により請求項３に記載の放射線画像撮影用カセッテに設けられた表示部に外部エネルギーを加えて放射線画像の撮影に必要な情報を表示することを特徴とする放射線画像撮影システム。
【請求項６】
前記放射線画像撮影用カセッテに、個々の撮影予約情報を特定することができる予約識別情報を記憶する記憶装置と、前記予約識別情報の受信、記憶及び送信を制御する制御部とを設け、前記制御部は、前記オーダリングサーバ又は前記撮影操作端末から前記撮影予約情報の中の予約識別情報を受信して記憶装置に記憶させ、前記放射線画像読取装置は、前記放射線画像撮影用カセッテの画像を読み取る際に前記記憶装置から前記予約識別情報を受信してこの予約識別情報に対応する撮影予約情報を前記オーダリングサーバから読み出し、この撮影予約情報中の読取条件に基づいて画像読取処理を行うことを特徴とする請求項４又は請求項５に記載の放射線画像撮影システム。
【発明の詳細な説明】
【０００１】
【発明の属する技術分野】
本発明は、放射線画像撮影用カセッテ及び放射線画像撮影システムに係り、特に、放射線画像の撮影に必要な情報を表示させる放射線画像撮影用カセッテ及び放射線画像撮影システムに関する。
【０００２】
【従来の技術】
従来、Ｘ線画像に代表される放射線画像が病気診断用等に広く用いられている。この放射線画像を得るための方式としては、被撮影者を透過させた放射線を輝尽性蛍光体に照射することによって、被撮影者各部の放射線透過密度に対応する放射線エネルギーを輝尽性蛍光体に蓄積、記録させた後、放射線画像読取装置で励起光を照射するによって輝尽性蛍光体に蓄積、記録された放射線エネルギーを輝尽発光させ、この輝尽発光光の強弱を電気信号に変換し、この電気信号を感光材料等の画像記録材料やＣＲＴ（Cathode‐Ray  Tube）等の表示装置を介して可視像として再生する方式がある。
【０００３】
前記輝尽性蛍光体は、一般にシート状の支持体に積層され、輝尽性蛍光体シートとして、放射線画像撮影用カセッテに収納されて取り扱われる。この放射線画像撮影用カセッテは、搬送時または撮影時における輝尽性蛍光体シートの物理的損傷を防止するとともに、撮影後に輝尽性蛍光体シートに光が照射されて蓄積された画像情報が消滅するのを防止するものである。放射線画像撮影用カセッテは、輝尽性蛍光体シートを収納した状態で例えば患者などの被撮影者にあてがわれ、被撮影者の身体を通して放射線が照射されることにより、放射線画像の撮影が行われる。
【０００４】
ここで、放射線画像撮影用カセッテを用いて放射線画像を撮影した場合、撮影した部位や方法等に応じた読取感度や読取解像度で放射線画像撮影用カセッテに収納された輝尽性蛍光体シートの画像読取処理を行う必要がある。この画像読取処理は、従来、撮影を行った放射線技師が、どの放射線画像撮影用カセッテを用いて、どの部位をどのような方法で撮影したかを記憶しておき、この記憶に従った撮影部位や撮影方法等に応じた読取感度や読取解像度で行っている（例えば、特許文献１参照）。
【０００５】
また、近年においては、放射線画像撮影に関する情報を管理するオーダリングサーバと、放射線画像撮影に関する操作を行う撮影操作端末と、撮影した放射線画像の画像読取処理を行う放射線画像読取装置とをネットワークを通じて接続してなる放射線画像撮影システムが用いられている。この放射線画像撮影システムにおいては、予め前記オーダリングサーバに撮影予約情報を登録しておき、この撮影予約情報に基づいて、前記撮影操作端末により撮影操作を行い、前記放射線画像読取装置により画像読取処理をすることが行われている。撮影予約情報は、患者の氏名、ＩＤ番号、性別等の患者に関する患者情報、撮影部位や撮影方法等の撮影条件に関する撮影情報、及び撮影情報に応じた放射線画像読取装置の読取感度や読取解像度等の読取情報を含むものであり、医師の判断によりオーダリングサーバに登録される。この撮影予約情報は、放射線技師が撮影操作端末を操作することによりオーダリングサーバから読み出されて撮影操作端末の表示装置に表示される。放射線技師は、撮影予約情報の中の撮影情報に基づいて、被撮影者に放射線画像撮影用カセッテをあてがい、撮影操作端末を操作して撮影を行う。
【０００６】
この放射線画像撮影システムにおいて画像読取処理を行う際には、従来、撮影を行った放射線技師が、どの放射線画像撮影用カセッテを用いてどの撮影予約情報についての撮影を行ったかを自ら記憶しておき、この記憶に従って、放射線画像読取装置を操作して当該撮影予約情報をオーダリングサーバから読み出し、この撮影予約情報中の読取情報に基づいて放射線画像読取装置を操作して画像読取処理を行っている。
【０００７】
また、従来、前記放射線画像撮影システムにおいて、個々の放射線画像撮影用カセッテに例えばバーコードにより表されたＩＤ番号を付しておき、撮影操作端末にバーコード読取装置を接続するとともに、放射線画像読取装置にバーコード読取装置を設け、ＩＤ番号と撮影予約情報とを対応付けることが行われている。この放射線画像撮影システムにおいては、撮影操作端末で個々の撮影予約情報を読み出した際に、撮影操作端末に接続されているバーコード読取装置で放射線画像撮影用カセッテのＩＤ番号を読取って撮影予約情報に付加し、撮影後に、放射線画像読取装置が、放射線画像読取装置に設けられたバーコード読取装置でＩＤ番号を読取り、このＩＤ番号に対応した撮影予約情報をオーダリングサーバから読み出して、この撮影予約情報中の読取情報に基づいて画像読取処理を行っている。
【０００８】
この場合、実際に撮影した撮影情報に応じた正しい読取情報によって画像読取処理を行わせるには、従来、撮影を行う際に、放射線技師が個々の放射線画像撮影用カセッテについてそのＩＤ番号を付加した撮影予約情報を記憶しておき、記憶している撮影予約情報中の撮影情報に基づいて撮影を行っている。
【０００９】
【特許文献１】
特開２０００−２８４３８６号公報
【００１０】
【発明が解決しようとする課題】
しかしながら、撮影を行った放射線技師が、どの放射線画像撮影用カセッテを用いて、どの部位をどのような方法で撮影したかを記憶しておき、この記憶に従った撮影部位や撮影方法等に応じた読取感度や読取解像度で画像読取処理を行う場合、放射線技師の記憶が誤っていると、この誤った記憶に基づいて画像読取処理が行われることになるため、正しい画像読取処理がなされないという問題があった。
【００１１】
また、放射線画像撮影システムを用いて、放射線技師が記憶に従って撮影予約情報をオーダリングサーバから読み出す場合、放射線技師の記憶が誤っていると、この誤った記憶に従って撮影予約情報をオーダリングサーバから読み出すことになり、この読み出した撮影予約情報の撮影情報と実際に撮影した撮影条件とが対応していないため、撮影条件に応じた正しい読取条件によって画像を処理することができなくなるという問題があった。
【００１２】
また、放射線画像撮影システムにおいて、撮影予約情報と放射線画像撮影用カセッテに付されたＩＤ番号とを対応付けた場合、放射線技師がその対応関係を誤って記憶し、これにより誤った撮影条件で撮影を行ったとしても、放射線画像読取装置は放射線画像撮影用カセッテに付されたＩＤ番号に対応した撮影予約情報中の読取情報で画像読取処理を行うため、実際に撮影した撮影条件に基づいた正しい画像読取処理がなされないという問題があった。
【００１３】
そこで、本発明は、放射線技師の記憶に頼ることなく、撮影に用いた放射線画像撮影用カセッテと撮影予約情報とを対応付け、実際に撮影した撮影条件に応じた適切な画像読取処理をすることができる放射線画像撮影用カセッテ及び放射線画像撮影システムを提供することを目的とする。
【００１４】
【課題を解決するための手段】
上記課題を解決するために本発明による放射線画像撮影用カセッテは、輝尽性蛍光体シートを収納する放射線画像撮影用カセッテにおいて、外部から放射線画像の撮影に必要な情報を受信して可視状態で表示する表示装置と、情報の表示を制御する制御部とを設けたことを特徴とする。
【００１５】
本発明によれば、表示装置に放射線画像の撮影に必要な情報が表示されるため、放射線技師は、この表示された情報に従って撮影及び画像読取処理を行えばよく、どの放射線画像撮影用カセッテを用いて、どの部位をどのような方法で撮影したか等を記憶しておく必要がない。
【００１６】
このとき、請求項２に記載の発明のように、前記表示装置は、液晶による表示装置としてもよい。
【００１７】
また、請求項３に記載の発明のように、輝尽性蛍光体シートを収納する放射線画像撮影用カセッテにおいて、外部エネルギーを加えることにより放射線画像の撮影に必要な情報を書換え可能に可視状態で表示する表示部を設けてもよい。
【００１８】
また、請求項４に記載の放射線画像撮影システムは、放射線画像撮影に関する情報を管理するオーダリングサーバと、放射線画像撮影に関する操作を行う撮影操作端末と、撮影した放射線画像の画像読取処理を行う放射線画像読取装置とをネットワークを通じて接続し、前記オーダリングサーバに、予め患者に関する患者情報、放射線画像を撮影する条件に関する撮影情報、及び前記撮影情報に応じた画像読取処理条件に関する読取情報を撮影予約情報として登録し、この撮影予約情報に基づいて、前記撮影操作端末により撮影操作を行い、前記放射線画像読取装置により画像読取処理を行う放射線画像撮影システムにおいて、前記オーダリングサーバ又は前記撮影操作端末から、請求項１又は請求項２に記載の放射線画像撮影用カセッテに対して、前記撮影予約情報の中から放射線画像の撮影に必要な情報を送信し、前記放射線画像撮影用カセッテに設けられた表示装置に可視状態で表示することを特徴とする。
【００１９】
本発明によれば、放射線画像撮影用カセッテには、オーダリングサーバに登録されている撮影予約情報中の放射線画像の撮影に必要な情報が送信され、表示されるため、放射線技師が、表示されている情報に従って撮影を行えば、撮影予約情報に従った撮影がなされる。そして、放射線画像読取装置はネットワークを通じてオーダリングサーバと接続されているため、放射線技師が放射線画像読取装置を操作することにより、放射線画像撮影用カセッテに表示された情報に対応する撮影予約情報をオーダリングサーバから読み出せば、この撮影予約情報中の読取情報に基づいて放射線画像読取装置により画像読取処理が行われる。これにより、放射線技師が撮影予約情報の内容を記憶しておかなくても、撮影予約情報に従って撮影及び画像読取処理が行われることになる。
【００２０】
また、請求項５に記載の発明のように、放射線画像撮影に関する情報を管理するオーダリングサーバと、放射線画像撮影に関する操作を行う撮影操作端末と、撮影した放射線画像の画像読取処理を行う放射線画像読取装置とをネットワークを通じて接続し、前記オーダリングサーバに、予め患者に関する患者情報、放射線画像を撮影する条件に関する撮影情報、及び前記撮影情報に応じた画像読取処理条件に関する読取情報を撮影予約情報として登録し、この撮影予約情報に基づいて、前記撮影操作端末により撮影操作を行い、前記放射線画像読取装置により画像読取処理を行う放射線画像撮影システムにおいて、前記オーダリングサーバ又は前記撮影操作端末から、エネルギーを印加することにより画像を書き込む画像書込装置に対して、前記撮影予約情報の中から放射線画像の撮影に必要な情報を出力し、前記画像書込装置により請求項３に記載の放射線画像撮影用カセッテに設けられた表示部に外部エネルギーを加えて放射線画像の撮影に必要な情報を表示してもよい。
【００２１】
また、請求項６に記載の放射線画像撮影システムは、請求項４又は請求項５に記載の放射線画像撮影システムにおいて、前記放射線画像撮影用カセッテに、個々の撮影予約情報を特定することができる予約識別情報を記憶する記憶装置と、前記予約識別情報の受信、記憶及び送信を制御する制御部とを設け、前記制御部は、前記オーダリングサーバ又は前記撮影操作端末から前記撮影予約情報の中の予約識別情報を受信して記憶装置に記憶させ、前記放射線画像読取装置は、前記放射線画像撮影用カセッテの画像を読み取る際に前記記憶装置から前記予約識別情報を受信してこの予約識別情報に対応する撮影予約情報を前記オーダリングサーバから読み出し、この撮影予約情報中の読取条件に基づいて画像読取処理を行うことを特徴とする。
【００２２】
本発明によれば、放射線画像撮影用カセッテには、撮影予約情報中の放射線画像の撮影に必要な情報が表示されるため、放射線技師が、表示されている情報に従って撮影を行えば、撮影予約情報に従った撮影がなされる。また、撮影予約情報中の予約識別情報が、放射線画像撮影用カセッテに受信されて記憶され、画像を読み取る際には、放射線画像読取装置により受信される。そして、放射線画像読取装置により、この予約識別情報に対応する撮影予約情報が読み出されて、この撮影予約情報中の読取条件に基づいて画像読取処理が行われる。したがって、放射線画像読取装置により、自動的に撮影予約情報に従った画像読取処理がなされる。これにより、放射線技師が撮影予約情報の内容を記憶しておかなくても、撮影予約情報に従って撮影及び画像読取処理が行われることになる。
【００２３】
【発明の実施の形態】
以下、本発明の実施形態を図１から図５を参照して説明する。
【００２４】
本発明による放射線画像撮影システムは、図１に示すように、放射線画像撮影に関する情報を管理するオーダリングサーバ１と、放射線画像撮影に関する操作を行う撮影操作端末２と、撮影した放射線画像の画像読取処理を行う放射線画像読取装置３とがネットワーク６を通じて接続されており、撮影操作端末２には情報を送受信する送受信装置４がケーブル７ａを介して接続されているとともに、送受信装置４には放射線画像撮影用カセッテ５が接続端子（図示しない）により接続可能になっている。また、撮影操作端末２にはケーブル７ｂを介して放射線を発生させて被撮影者に照射する放射線照射装置８が接続されている。
【００２５】
オーダリングサーバ１は、コンピュータで構成されており、例えば病院の放射線室に設置されている。オーダリングサーバ１には、図２に示すように、制御部１１、外部記憶装置１２、キーボードやマウス等の入力操作部１３、ＣＲＴディスプレイや液晶ディスプレイ等の表示部１４、及びインターフェース１５がそれぞれ設けられている。制御部１１は、入力操作部１３から入力された患者情報、撮影情報、及び読取情報をそれぞれ対応付けた状態で、医師が放射線技師に対して放射線画像撮影を指示する撮影予約情報として、外部記憶装置１２に記憶させるようになっている。そして、複数の撮影予約情報をリスト化してオーダリングリストとして記憶させるようにもなっており、個々の撮影予約情報には、当該撮影予約情報を特定する情報、例えば予約識別番号等が付されている。
【００２６】
ここで、患者情報とは、患者の氏名、年齢、性別、生年月日、患者を特定するための患者ＩＤ番号等の患者に関する情報である。また、撮影情報とは、撮影部位（被撮影者の身体上の撮影する部分）、撮影する方向や方法等の撮影条件に関する情報である。読取情報とは、撮影情報に応じた放射線画像読取装置の読取感度や読取解像度等の読取条件に関する情報である。
【００２７】
撮影操作端末２は、コンピュータで構成されており、例えば各病室に設置されている。撮影操作端末２には、図２に示すように、制御部２１、メモリ２２、キーボードやマウス等の入力操作部２３、ＣＲＴディスプレイや液晶ディスプレイ等の表示部２４、インターフェース２５がそれぞれ設けられている。制御部２１は、インターフェース２５を介してオーダリングサーバ１から撮影予約情報を受信するようになっている。また、制御部２１は、受信した撮影予約情報をメモリ２２に記憶させるようになっており、この撮影予約情報を入力操作部２３からの信号に応じて読み出して表示部２４に表示させるようになっている。また、制御部２１は、予約識別番号及び放射線画像の撮影に必要な情報、例えば患者の氏名及びＩＤ番号や撮影情報を、入力操作部からの信号に応じてインターフェース２５を介して送受信装置４に対して出力させるようになっている。また、制御部２１は、入力操作部２３からの信号に応じて、放射線照射装置８に対して撮影指示を出力して撮影を制御するようになっている。
【００２８】
送受信装置４は、撮影操作端末２から出力された予約識別番号及び撮影情報等を入力し、これを放射線画像撮影用カセッテ５に対して出力するようになっている。
【００２９】
放射線画像撮影用カセッテ５は、前面がＸ線を透過するカーボンプレート等から成る遮光箱であり、シート状の支持体に輝尽性蛍光体を積層した輝尽性蛍光体シートを収納可能に構成されている。放射線画像撮影用カセッテ５には、その背面に表示装置である液晶表示パネル５１が設けられているとともに、この液晶表示パネル５１の電極に電圧を印加する電源５２と、インターフェース５３と、メモリ５４と、制御部５５とがそれぞれ設けられている。制御部５５は、送受信装置４から予約識別番号及び撮影情報等を入力して、予約識別番号をメモリ５４に記憶させるとともに、撮影情報等を液晶表示パネル５１に表示させるようになっている。
【００３０】
放射線画像読取装置３は、例えば放射線科や各病棟の各フロア等に設けられている。放射線画像読取装置３には、図２に示すように、制御部３１及びインターフェース３２が設けられている。また、放射線画像読取装置３には、図３に示すように、放射線画像撮影用カセッテ５を挿入する挿入口３３が設けられており、この挿入口３３には、放射線画像撮影用カセッテ５に記憶されている予約識別番号を読み出す読取部３４が設けられており、この読取部３４には放射線画像撮影用カセッテ５に設けられた接続端子（図示しない）に接続可能な接続端子（図示しない）が設けられている。制御部３１は、放射線画像撮影用カセッテ５が挿入され読取部３４に設けられている接続端子に接続されると、放射線画像撮影用カセッテ５に記憶されている予約識別番号を読取部３４により読み取らせ、この予約識別番号基づいて、オーダリングサーバ１中の撮影予約情報を検索して読み出し、この撮影予約情報の中の読取情報に基づいて、放射線画像の読取処理を制御するようになっている。また、制御部３１は、放射線画像の読取処理を行った後に、挿入されている放射線画像撮影用カセッテ５に設けられている電源５２からの液晶表示パネル５１の電極への電圧の印加を停止させることにより、液晶表示パネル５１に表示された情報を消去するようになっている。また、制御部３１は、読取処理により得られた画像をオーダリングサーバ１に対して送信するようになっている。
【００３１】
また、放射線画像読取装置３には、図３に示すように、挿入口３３から放射線画像撮影用カセッテ５を挿入することにより放射線画像撮影用カセッテ５より輝尽性蛍光体シート５６を引き出し、読取処理するために搬送する搬送機構３５が設けられている。また、放射線画像読取装置３には、搬送されてきた輝尽性蛍光体シート５６にレーザ光を走査させる励起光発生部３６が設けられている。また、放射線画像読取装置３には、励起光発生部３６から輝尽性蛍光体シート５６にレーザ光が走査されることにより励起された輝尽発光光を読み取りこれをアナログの電気信号に変換する光電読取部３７が設けられており、この光電読取部３７には、アナログの電気信号をデジタル信号に変換するＡ／Ｄ変換部３８が接続されている。さらに、放射線画像読取装置３には、輝尽性蛍光体シート５６に残留する放射線エネルギーを放出させるために輝尽性蛍光体シート５６に照射する消却光を発するハロゲンランプ３９が設けられている。
【００３２】
次に、本発明の実施形態による放射線画像の撮影に関する動作について説明する。
【００３３】
医師の判断により、患者情報、撮影情報、及び読取情報がそれぞれ対応付けられた状態で撮影予約情報として、オーダリングサーバ１に入力され、記憶される。そして、この撮影予約情報がリスト化されたオーダリングリストに基づいて、放射線技師が放射線画像撮影用カセッテ５及び放射線照射装置８を持参して、各病室を巡回して病室内で患者の放射線画像の撮影を行うことになる。
【００３４】
オーダリングサーバ１に入力された撮影予約情報は、各病室に設置されている撮影操作端末２で受信される。放射線技師が撮影操作端末２を操作することにより、受信された複数の撮影予約情報の中から、撮影しようとしている患者の撮影予約情報が読み出されて撮影操作端末２の表示部２４に表示される。また、放射線技師が、撮影操作端末２に接続された送受信装置４に放射線画像撮影用カセッテ５を装着し、撮影操作端末２の入力操作部２３を操作することにより、撮影操作端末２から放射線画像撮影用カセッテ５に、予約識別番号及び患者の氏名、ＩＤ番号や撮影情報が出力され、予約識別番号が放射線画像撮影用カセッテ５のメモリ５４に記憶されるとともに、患者の氏名、ＩＤ番号や撮影情報が放射線画像撮影用カセッテ５の液晶表示パネル５１に表示される。
【００３５】
放射線技師は、放射線画像撮影用カセッテ５に表示されている内容を確認しつつ、放射線画像撮影用カセッテ５を撮影すべき患者の身体にあてがい、患者の身体の上から放射線画像撮影用カセッテ５に対して、放射線を照射できる位置に放射線照射装置８を配置させる。その後、放射線技師が、撮影操作端末２の入力操作部２３を操作することにより、放射線照射装置８から放射線が照射され、撮影が行われる。このような方法により、そのフロアにある各病室において放射線画像の撮影が行われる。そのフロアにある各病室において撮影に用いられた放射線画像撮影用カセッテ５は、そのフロアの放射線画像読取装置３の設置場所に搬送され、１つずつ放射線画像読取装置３の挿入口３３に挿入されて、画像読取処理が行われることになる。
【００３６】
放射線画像読取装置３の挿入口３３に放射線画像撮影用カセッテ５が挿入され、読取部３４に設けられた接続端子に接続されると、放射線画像撮影用カセッテ５に記憶されている予約識別番号が読み取られ、この予約識別番号基づいて、オーダリングサーバ１中の撮影予約情報が検索されて読み出され、この撮影予約情報の中の読取情報に基づいて、放射線画像の読取処理が行われる。
【００３７】
読取処理は、放射線画像撮影用カセッテ５が挿入されると放射線画像撮影用カセッテ５から輝尽性蛍光体シート５６が引き出され、励起光発生部３６から輝尽性蛍光体シート５６にレーザ光が走査されることにより励起された輝尽発光光を光電読取部３７により読み取って光電変換し、変換されたアナログの電気信号をＡ／Ｄ変換部３８によりデジタル信号に変換することによって行われる。このとき、読取情報中の読取感度の値に従って光電読取部３７の感度が制御され、読取解像度の値に従って搬送機構３５の搬送速度やＡ／Ｄ変換部３８のサングピッチが制御される。
【００３８】
放射線画像の読取処理が行われた後、放射線画像読取装置３に設けられているハロゲンランプ３９により輝尽性蛍光体シート５６に消却光が照射されて残留する放射線エネルギーが放出され、また、液晶表示パネル５１の電極への電圧の印加が停止されて液晶表示パネル５１に表示された情報が消去される。これにより、放射線画像撮影用カセッテ５は再度撮影に用いられることとなる。
【００３９】
読取処理が行われた放射線画像は、オーダリングサーバ１に送信され、オーダリングサーバ１の表示部１４に表示させるか、あるいはプリンタ等の画像出力装置（図示しない）により出力させることにより、医師による診断に供されることとなる。
【００４０】
以上より、本発明の実施形態によれば、放射線画像撮影用カセッテ５には、オーダリングサーバ１に登録されている撮影予約情報中の放射線画像の撮影に必要な情報が表示されるため、放射線技師が、表示されている情報に従って撮影を行えば、撮影予約情報に従った撮影がなされる。そして、放射線画像読取装置３はネットワークを通じてオーダリングサーバ１と接続されており、撮影予約情報中の読取情報に基づいて自動的に画像読取処理がなされる。したがって、放射線技師が、表示された情報に従って撮影を行えば、撮影予約情報に従って撮影及び画像読取処理が行われる。撮影予約情報中の読取情報は、撮影予約情報中の撮影条件に対応して登録されているため、表示されている情報に従って撮影及び画像読取処理が行われれば、実際に撮影した撮影条件に対応する読取条件で画像読取処理を行わせることができる。
【００４１】
また、放射線画像撮影用カセッテ５に表示される放射線画像の撮影に必要な情報は、オーダリングサーバ１に登録されている撮影予約情報の中から送信される。したがって、別途キーボード等の入力操作部２３により入力する必要がなく、入力誤りによる誤った表示に従って誤った撮影や画像読取処理がなされることを防止することができる。
【００４２】
なお、本発明の実施形態では、送受信装置４を介して撮影操作端末２から放射線画像撮影用カセッテ５に情報を入力させるようにしたが、放射線画像撮影用カセッテ５にＵＳＢ等のインターフェースを設け、撮影操作端末２から直接情報を入力させるようにしてもよい。
【００４３】
また、本発明の実施形態では、放射線画像撮影用カセッテ５に設けられた表示部を液晶表示パネル５１で構成したが、その他のフラットパネルディスプレイで構成してもよく、例えば電極を埋め込んだ２枚のプラスチック基板の間に、帯電した白と黒の粒子を封入したカプセルを埋め込む等した、いわゆる電子ペーパーで構成してもよい。この場合、表示を保持させるために常に電極に電圧を印加しておく必要がなくなる。
【００４４】
また、本発明の実施形態では、放射線画像撮影用カセッテ５に設けられたメモリ５４に記憶させておいた予約識別番号等を読み出し、これに基づいてオーダリングサーバ１中の撮影予約情報を検索するようにしたが、放射線画像撮影用カセッテ５の表面にバーコード等の識別情報を付し、これに基づいて撮影予約情報を検索して、撮影予約情報中の読取情報に基づいて画像読取処理を行う放射線画像撮影システムを利用すれば、メモリ５４に予約識別番号等を記憶させておく必要がない。この場合、撮影操作端末２にバーコードリーダ等の読取装置を接続し、これにより放射線画像撮影用カセッテ５に付された識別情報を読み取って、これを撮影予約情報に付加させておく。そして、放射線画像読取装置３にも読取装置を設け、放射線画像撮影用カセッテ５を挿入した際に識別情報を読み取るようにし、この識別情報に基づいて撮影予約情報を検索するようにする。
【００４５】
さらに、メモリ５４に予約識別番号等を記憶させておいたり、放射線画像撮影用カセッテ５の表面にバーコード等の識別情報を付しておいたりすることなく、放射線画像撮影用カセッテ５の表示部５１に表示された内容に従って放射線技師が画像読取処理の操作を行うようにしても、放射線技師の記憶誤りにより誤った画像読取処理がなされることは防止することができる。この場合、必ずしも、予めオーダリングサーバに患者情報、撮影情報、及び読取情報を撮影予約情報として登録し、これに基づいて撮影及び画像読取処理を行う放射線画像撮影システムを利用する必要はない。
【００４６】
また、本発明の実施形態では、病室で放射線画像を撮影するものとして説明したが、撮影室で撮影してもよい。この場合、撮影操作端末２は、例えば各撮影室に設置され、放射線画像読取装置３は、例えばいくつかの撮影室につき一台、撮影室の付近に設置される。
【００４７】
次に、図４及び図５を参照して、本発明の第二の実施形態について説明する。
【００４８】
本発明の第二の実施形態は、図４に示すように、オーダリングサーバ１、撮影操作端末２及び放射線画像読取装置３がネットワーク６を通じて接続されている。撮影操作端末２には、ケーブル７ａを介して画像書込装置９が接続されており、また、ケーブル７ｂを介して放射線照射装置８が接続されている。
【００４９】
ここで、第一の実施形態と同一符号を付したものについては、第一の実施形態と同様の構成、作用であるため説明を省略する。
【００５０】
放射線画像撮影用カセッテ１０の背面には、図４及び図５に示すように、外部エネルギーにより表示状態を変更可能な表示部１０１が設けられている。表示部１０１は、外部エネルギーにより可視情報を可逆的に繰り返し書き換えできる表示素子により構成されている。このような表示素子としては、例えば、加熱冷却によって、透明状態と白濁状態とに可逆的に変化することで表示状態を変更可能な感熱記録方式の可逆表示素子や、電界と加熱により、表示状態を変更可能な電気・熱記録方式の可逆表示素子や、磁場に感応する磁性粉をマイクロカプセル中に含有した磁気記録方式の可逆表示素子等がある。
【００５１】
画像書込装置９には、図５に示すように、記録ヘッド９１、消去パッド９２、制御部９３、インターフェース９４がそれぞれ設けられている。記録ヘッド９１及び消去パッド９２は、表示部を構成している可逆表示素子の種類により、熱、電界、磁界等のエネルギーを可逆表示素子に対して加えるエネルギー印加手段で構成されている。例えば、可逆表示素子が感熱記録方式の場合は、記録ヘッドはサーマルヘッド等であり、電気・熱記録方式の場合は、マトリックス電極やローラ電極あるいは帯電器等であり、磁気記録方式の場合は、磁気ヘッド等である。制御部９３は、撮影操作端末２の入力操作部２３からの信号に応じて出力された放射線画像の撮影に必要な情報、例えば患者の氏名及びＩＤ番号や撮影情報を、インターフェース９４を介して入力し、これに基づいて記録ヘッド９１を制御するようになっている。また、制御部９３は、撮影操作端末２の入力操作部２３からの信号に応じて、消去パッド９２を制御するようになっている。
【００５２】
放射線画像読取装置３には、図４に示すように、画像読取処理に関する操作を行う画像読取処理操作端末３０１及び放射線画像読取装置本体３０２が設けられており、これらは、ケーブル３０３を介して接続されている。画像読取処理操作端末３０１には、図５に示すように、制御部３０４、入力操作部３０５及びインターフェース３０６がそれぞれ設けられている。制御部３０４は、入力操作部３０５からの信号に応じて、インターフェース３０６を介してオーダリングサーバ１中の撮影予約情報を検索して読み出し、この撮影予約情報中の読取情報に基づく画像読取処理を指示する信号を放射線画像読取装置本体３０２に対して出力させるようになっている。放射線画像読取装置本体３０２には、図５に示すように、制御部３０７及びインターフェース３０８が設けられている。制御部３０７は、インターフェース３０８を介して画像読取処理操作端末３０１から出力された画像読取処理を指示する信号を入力し、これに基づいて画像読取処理を制御するようになっている。なお、本発明の第二の実施形態においては、放射線画像撮影用カセッテ１０には予約識別番号等を記憶させるメモリ等が設けられておらず、放射線画像読取装置３で予約識別番号等を読み取る必要がないため、放射線画像読取装置３には図３に示すような読取装置３４は設けられていない。
【００５３】
次に、本発明の第二の実施形態による放射線画像の撮影に関する動作について説明する。
【００５４】
オーダリングサーバ１に入力された撮影予約情報が、撮影操作端末２で受信される。そして、放射線技師が、受信された複数の撮影予約情報の中から、撮影しようとしている患者の撮影予約情報を選択し、撮影操作端末２の入力操作部２３を操作することにより、撮影操作端末２から画像書込装置９に、患者の氏名、ＩＤ番号や撮影情報が出力される。この画像書込装置９を放射線画像撮影用カセッテ１０の表示部１０１にあてがうことにより、撮影情報等が表示部１０１に表示される。
【００５５】
放射線技師は、放射線画像撮影用カセッテ１０に表示されている内容を確認しつつ、放射線画像の撮影を行うことになる。また、画像読取処理を行う際には、放射線技師は、放射線画像撮影用カセッテ１０に表示されている内容に従って、画像読取処理操作端末３０１によりオーダリングサーバ１中の撮影予約情報を検索して読み出し、この撮影予約情報の中の読取情報に基づいて、画像読取処理を行うことになる。
【００５６】
以上より、本発明の第二の実施形態によれば、より簡易な構造の表示部を設けることによって、実際に撮影した撮影条件に対応する読取条件で画像読取処理を行うことができ、放射線画像の撮影に必要な情報の入力誤りによる誤った表示に従って誤った撮影や画像読取処理がなされることを防止することもできる。
【００５７】
なお、本発明の第二の実施形態では、画像書込装置９は、これを表示部１０１にあてがうハンディ型であるが、設置された画像書込装置９に表示部１０１を差し込む投入型であってもよい。
【００５８】
また、表示部１０１は、放射線画像撮影用カセッテ１０に対して着脱自在なカード状のものであってもよい。このようにすれば、表示部１０１への画像書込処理をより簡易に行うことができる。
【００５９】
【発明の効果】
請求項１及び請求項２に記載の発明によれば、放射線画像の撮影に必要な情報を表示する表示装置が設けられているため、放射線技師は、記憶に頼ることなく、表示された情報に従って撮影及び画像読取処理を行えばよい。表示された情報に基づいて撮影を行えば、実際に撮影した撮影条件と表示されている情報とは一致するため、表示されている情報に従って画像読取処理を行えば、実際に撮影した撮影条件に対応する適切な画像読取処理を行うことができる。
【００６０】
請求項３に記載の発明によれば、より簡易な構造の表示部を設けることによって、実際に撮影した撮影条件に対応する適切な画像読取処理を行うことができる。
【００６１】
請求項４に記載の発明によれば、放射線画像撮影用カセッテには、オーダリングサーバに登録されている撮影予約情報中の放射線画像の撮影に必要な情報が表示される。そして、放射線画像読取装置はネットワークを通じてオーダリングサーバと接続されており、撮影予約情報中の読取情報に基づいて放射線画像読取装置により画像読取処理が行われる。したがって、放射線技師が、表示されている情報に従って撮影を行えば、撮影予約情報に従った撮影がなされ、放射線技師が、表示されている情報に従って放射線画像読取装置により撮影予約情報を読み出せば、撮影予約情報に従って画像読取処理行われることになる。撮影予約情報中の読取情報は、撮影予約情報中の撮影条件に対応して登録されているため、表示されている情報に従って撮影及び画像読取処理行われることにより、実際に撮影した撮影条件に対応する読取条件で画像読取処理を行わせることができる。
【００６２】
また、放射線画像撮影用カセッテに表示される放射線画像の撮影に必要な情報は、オーダリングサーバに登録されている撮影予約情報の中から送信される。したがって、別途キーボード等の入力操作部により入力する必要がなく、入力誤りによる誤った表示に従って誤った撮影や画像読取処理がなされることを防止することができる。
【００６３】
請求項５に記載の発明によれば、より簡易な構造の表示部を設けることによって、実際に撮影した撮影条件に対応する画像読取処理を行うことができ、放射線画像の撮影に必要な情報の入力誤りによる誤った表示に従って誤った撮影や画像読取処理がなされることを防止することもできる。
【００６４】
請求項６に記載の発明によれば、画像読取処理は、放射線画像読取装置により、自動的に撮影予約情報に従ってなされる。したがって、放射線技師が、表示された情報に従って撮影を行えば、撮影予約情報に従って撮影及び画像読取処理が行われるため、より容易かつ確実に、実際に撮影した撮影条件に対応する読取条件で画像読取処理を行うことができる。
【図面の簡単な説明】
【図１】本発明による放射線画像撮影システムの一実施形態の構成を示す図である。
【図２】本発明による放射線画像撮影システムの一実施形態の構成を示すブロック図である。
【図３】本発明による放射線画像撮影システムにおいける放射線画像読取装置３の構成を示す図である。
【図４】本発明による放射線画像撮影システムの第二の実施形態の構成を示す図である。
【図５】本発明による放射線画像撮影システムの第二の実施形態の構成を示すブロック図である。
【符号の説明】
１      オーダリングサーバ
２      撮影操作端末
３      放射線画像読取装置
４      送受信装置
５      放射線画像撮影用カセッテ
５１    液晶表示パネル
９      画像書込装置
１０    放射線画像撮影用カセッテ
１０１  表示部
【図１】
2004191855.tif 000003
【図２】
2004191855.tif 000004
【図３】
2004191855.tif 000005
【図４】
2004191855.tif 000006
【図５】
2004191855.tif 000007